(57)【要約】【課題】柔軟性（ｆｌｅｘｉｂｉｌｉｔｙ）に優れた電気泳動表示装置を提供する。【解決手段】本発明は電気泳動表示装置とその製造方法に関する。 本発明による電気泳動表示装置は、第１電極が形成されている第１基板と；前記第１基板と対向し、第２電極が形成されている第２基板と；前記第１電極と前記第２電極との間に位置し、流体と荷電粒子が位置する複数の空間部と；前記各空間部を仕切るゲル部材とを含むことを特徴とする。【選択図】図２
2007140533.tif 000002
【特許請求の範囲】
【請求項１】
第１電極が形成されている第１基板と；
前記第１基板と対向し、第２電極が形成されている第２基板と；
前記第１電極と前記第２電極との間に位置し、流体と荷電粒子が位置する複数の空間部と；
前記各空間部を仕切るゲル部材とを含むことを特徴とする電気泳動表示装置。
【請求項２】
前記複数の空間部のうちの少なくとも一部は、前記第１基板及び前記第２基板のうちの少なくともいずれか一つと接することを特徴とする請求項１に記載の電気泳動表示装置。
【請求項３】
前記複数の空間部のうちの少なくとも一部は、前記第１基板の板面に垂直した方向に延長されていることを特徴とする請求項１に記載の電気泳動表示装置。
【請求項４】
前記複数の空間部のうちの少なくとも一部は、前記ゲル部材によって取り囲まれていることを特徴とする請求項１に記載の電気泳動表示装置。
【請求項５】
前記複数の空間部の平均直径は、前記荷電粒子の平均直径より１００倍〜１００００倍大きいことを特徴とする請求項１に記載の電気泳動表示装置。
【請求項６】
前記複数の空間部の平均直径は、１０μｍ〜１００μｍであることを特徴とする請求項１に記載の電気泳動表示装置。
【請求項７】
前記ゲル部材は、無機物又はシリカのいずれかであることを特徴とする請求項１に記載の電気泳動表示装置。
【請求項８】
前記荷電粒子は、前記第１電極と前記第２電極との間に形成される電界によって上下運動することを特徴とする請求項１に記載の電気泳動表示装置。
【請求項９】
前記荷電粒子は、白色サブ粒子を含むことを特徴とする請求項１に記載の電気泳動表示装置。
【請求項１０】
前記荷電粒子は、互いに異なる極性を有する白色サブ粒子と黒色サブ粒子とを含むことを特徴とする請求項１に記載の電気泳動表示装置。
【請求項１１】
前記第１基板は、
絶縁基板と前記絶縁基板上に形成されている薄膜トランジスタとを含み、
前記第１電極は前記薄膜トランジスタに接続されていることを特徴とする請求項１に記載の電気泳動表示装置。
【請求項１２】
前記第１電極は複数個で備えられ、
前記複数の空間部のうちの少なくとも一部は、少なくとも２つ以上の前記第１電極と重畳することを特徴とする請求項１１に記載の電気泳動表示装置。
【請求項１３】
前記第１電極は複数個で備えられ、
前記第１電極のうちの少なくとも一部は、少なくとも２つ以上の前記空間部と重畳することを特徴とする請求項１１に記載の電気泳動表示装置。
【請求項１４】
前記第１基板と前記第２基板のうちの少なくともいずれか一つは、プラスチック絶縁基板を含むことを特徴とする請求項１に記載の電気泳動表示装置。
【請求項１５】
前記流体は、透明な有機溶液であることを特徴とする請求項１に記載の電気泳動表示装置。
【請求項１６】
前記ゲル部材の体積は、前記空間部体積の２０％〜１００％であることを特徴とする請求項１に記載の電気泳動表示装置。
【請求項１７】
第１電極が形成されている第１基板を備える段階と；
前記第１電極上に複数の空間部を有しているフィルム状のゲル部材を付着する段階と；
前記空間部に流体と荷電粒子を注入する段階と；
前記ゲル部材上に第２電極が形成されている第２基板を付着する段階とを含むことを特徴とする電気泳動表示装置の製造方法。
【請求項１８】
前記ゲル部材は、無機物からなることを特徴とする請求項１７に記載の電気泳動表示装置の製造方法。
【請求項１９】
前記第１電極は複数個で備えられ、
前記複数の空間部のうちの少なくとも一部は、少なくとも２つ以上の前記第１電極と重畳することを特徴とする請求項１７に記載の電気泳動表示装置の製造方法。
【請求項２０】
前記第１電極は複数個で備えられ、
前記第１電極のうちの少なくとも一部は、少なくとも２つ以上の前記空間部と重畳することを特徴とする請求項１７に記載の電気泳動表示装置の製造方法。
【発明の詳細な説明】
【技術分野】
【０００１】
本発明は電気泳動表示装置とその製造方法に関する。
【背景技術】
【０００２】
電気泳動表示装置は、電子本に用いられている平板表示装置の一つであって、電極が形成されている両基板と、両基板の間に形成されている荷電粒子とを含む。電気泳動表示装置は、対向する二つの電極に電圧を印加して荷電粒子を反対極性の電極に移動させることで画像を表示する。
このような電気泳動表示装置は、反射率（ｒｅｆｌｅｃｔｉｖｉｔｙ）とコントラスト比（ｃｏｎｔｒａｓｔ）が高く、液晶表示装置とは異なって視野角（ｖｉｅｗｉｎｇ  ａｎｇｌｅ）に対する依存性がないため、紙のように柔軟性のある媒体に画像を表示することができるという長所を持っている。また、双安定（ｂｉｓｔａｂｌｅ）の特性を有していて持続的な電圧の印加なしに画像を維持することができるので、消費電力が小さい。また、液晶表示装置と異なって偏光板、配向膜、液晶などが必要でないので、価格競争力の側面でもよほど有利な長所を持っている。
【０００３】
しかし、電気泳動表示装置は、柔軟性が十分でないという問題がある。
【特許文献１】特開2004-524570号公報
【発明の開示】
【発明が解決しようとする課題】
【０００４】
そこで、本発明の目的は、柔軟性に優れた電気泳動表示装置を提供することである。
また、本発明の他の目的は、柔軟性に優れた電気泳動表示装置の製造方法を提供することである。
【課題を解決するための手段】
【０００５】
上記の目的は、第１電極が形成されている第１基板と；前記第１基板と対向し、第２電極が形成されている第２基板と；前記第１電極と前記第２電極との間に位置し、流体と荷電粒子が位置する複数の空間部と；前記各空間部を仕切るゲル部材とを含む電気泳動表示装置によって達成される。
ゲル部材は、従来の隔壁に比べて柔軟性に優れているため、電気泳動表示装置の柔軟性を増加させる。このため、電気泳動表示装置が損傷を受けた場合に、内部の流体及び荷電粒子の遺失を減少させることができる。また、固体状態のゲル部材が第１基板と第２基板との間のセルギャップ（ｃｅｌｌ  ｇａｐ）を維持させるので、別途のスペーサー（ｓｐａｃｅｒ）が不要である。
【０００６】
前記複数の空間部のうちの少なくとも一部は、前記第１基板及び前記第２基板のうちの少なくともいずれか一つと接することが好ましい。
前記複数の空間部のうちの少なくとも一部は、前記第１基板の板面に垂直した方向に延長されていることが好ましい。
前記複数の空間部のうちの少なくとも一部は、前記ゲル部材によって取り囲まれていることが好ましい。
【０００７】
前記複数の空間部の平均直径は、前記荷電粒子の平均直径より１００倍〜１００００倍大きいことが好ましい。空間部の大きさがこのように規定することで、荷電粒子が自由に上下移動することができる。
前記複数の空間部の平均直径は、１０μｍ〜１００μｍであることが好ましい。
前記ゲル部材は、無機物からなることが好ましい。
【０００８】
前記ゲル部材は、シリカからなることが好ましい。
前記荷電粒子は、前記第１電極と前記第２電極との間に形成される電界によって上下運動することが好ましい。
前記荷電粒子は、白色サブ粒子を含むことが好ましい。
前記荷電粒子は、互いに異なる極性を有する白色サブ粒子と黒色サブ粒子とを含むことが好ましい。荷電粒子は、画素電極と共通電極との間に形成される電界によって上下運動しながら反射する光の量を調節するようになる。白色サブ粒子と黒色サブ粒子とは互いに異なる極性に荷電されているため、互いに反対方向に運動する。例えば、白色サブ粒子が上部に、黒色サブ粒子が下部に移動すれば、白色を表示するようになる。反対に、白色サブ粒子が下部に、黒色サブ粒子が上部に移動すれば、黒色を表示するようになる。
【０００９】
また、荷電粒子として黒色粒子一つだけが存在する場合には、荷電粒子が上昇すれば黒色が表示され、荷電粒子が下降すれば白色が表示される。
前記第１基板は、絶縁基板と前記絶縁基板上に形成されている薄膜トランジスタとを含み、前記第１電極は前記薄膜トランジスタに接続されていることが好ましい。
前記第１電極は複数個で備えられ、前記複数の空間部のうちの少なくとも一部は、少なくとも ２つ以上の前記第１電極と重畳することが好ましい。同一の空間部内にある荷電粒子も下部に位置した画素電極が異なれば、互いに異なる運動を行う。空間部と画素電極とが一対一に対応はしないが、荷電粒子の動きは画素電極別に制御されて所望の画面を形成することができる。
【００１０】
前記第１電極は複数個で備えられ、前記第１電極のうちの少なくとも一部は、少なくとも２つ以上の前記空間部と重畳することが好ましい。
前記第１基板と前記第２基板のうちの少なくともいずれか一つは、プラスチック絶縁基板を含むことが好ましい。
前記流体は、透明な有機溶液であることが好ましい。
【００１１】
前記ゲル部材の体積は、前記空間部体積の２０％〜１００％であることが好ましい。ゲル部材の体積が空間部の体積の２０％以下であれば、ゲル部材の強度が弱くなる問題がある。反対に、ゲル部材の体積が空間部の体積の１００％より大きければ、空間部が減少して解像度が下がるようになる。
前記本発明の他の目的は、第１電極が形成されている第１基板を備える段階と；前記第１電極上に複数の空間部を有しているフィルム状のゲル部材を付着する段階と；前記空間部に流体と荷電粒子を注入する段階と；前記ゲル部材上に第２電極が形成されている第２基板を付着する段階とを含む電気泳動表示装置の製造方法によって達成されることができる。
【発明の効果】
【００１２】
本発明によれば、柔軟性に優れた電気泳動表示装置が提供される。
また、柔軟性に優れた電気泳動表示装置の製造方法が提供される。
【発明を実施するための最良の形態】
【００１３】
以下、添付された図面を参照して、本発明についてさらに詳細に説明する。
詳細な説明に先立って、いろいろな実施形態において同一の構成要素には同一の参照番号を付けた。また、同一の構成要素については第１実施形態で代表的に説明し、他の実施形態では説明しないこともある。
先に、図１を参照して本発明の実施形態による電気泳動表示装置の駆動原理を説明する。
【００１４】
図１は本発明の実施形態による電気泳動表示装置の駆動原理を概略的に示した図面である。
図１に示すように、本発明の実施形態による電気泳動表示装置は電界を形成するための一対の電極１０、２０を含む。一対の電極１０、２０のうちのいずれか一つは画素電極となり、他の一つは共通電極となる。一対の電極１０、２０は、電源部３０の印加する電圧によって電位差を形成する。両基板の間には流体４０と流体４０に分散している荷電粒子５０とが位置する。荷電粒子５０は陽性（ｐｏｓｉｔｉｖｅ）または陰性（ｎｅｇａｔｉｖｅ）を帯びており、黒色と白色のうちのいずれか一色相を持っている。
【００１５】
このような本発明の実施形態による電気泳動表示装置の対向する二つの電極１０、２０に電圧を印加して電極１０、２０の両端に電位差＋、−を形成すれば、荷電粒子５０が反対極性の電極１０、２０に上下移動する。観察者は、外部から入射して荷電粒子５０で反射した光を認識するようになる。荷電粒子５０が観察者に近い上部に移動すれば、観察者は荷電粒子５０の色相を強く認識し、荷電粒子５０が下部に移動すれば、観察者は荷電粒子５０の色相の認識力が弱くなる。
【００１６】
荷電粒子５０の移動は電気泳動によるものであり、電気泳動とは、表面電荷を帯びる粒子が電場の中で反対の電荷を帯びる電極の方に移動する現象である。電気泳動は、電磁気的現象ではないコロイド科学（ｃｏｌｌｏｉｄａｌ  ｓｃｉｅｎｃｅ）と流体力学（ｆｌｕｉｄ  ｍｅｃｈａｎｉｃｓ）の観点で解釈しなければならない現象である。
本発明の第１実施形態による電気泳動表示装置について、図２及び図３を参照して説明する。図２は本発明の第１実施形態による電気泳動表示装置の断面図であり、図３は本発明の第１実施形態による電気泳動表示装置の分解斜視図である。
【００１７】
電気泳動表示装置１は、互いに対向する第１基板１００と第２基板２００、そして両基板１００、２００の間に位置するゲル部材３５０を含む。ゲル部材３５０は空間部３１０を仕切っており、空間部３１０には流体３２１と流体３２１に分散している荷電粒子３３１、３３２とが位置する。
まず、第１基板１００を見れば、第１絶縁基板１１０上にゲート電極１２１が形成されている。ゲート電極１２１は、比抵抗（ｒｅｓｉｓｔｉｖｉｔｙ）が低い銀（Ａｇ）または銀合金（Ａｇ  ａｌｌｏｙ）、或いはアルミニウム（Ａｌ）またはアルミニウム合金（Ａｌ  ａｌｌｏｙ）からなる単一膜で構成されることもでき、このような単一膜に加えて物理的特性と電気的特性と接触特性の良いクロム（Ｃｒ）、チタン（Ｔｉ）、タンタル（Ｔａ）などの物質からなる他の膜を含む多層膜で構成されることもできる。
【００１８】
第１絶縁基板１１０上には窒化ケイ素（ＳｉＮｘ）などからなるゲート絶縁膜１３１がゲート電極１２１を覆っている。
ゲート電極１２１のゲート絶縁膜１３１の上部には非晶質シリコンなどの半導体からなる半導体層１３２が形成されており、半導体層１３２の上部にはシリサイドまたはｎ型不純物が高濃度にドーピングされているｎ＋水素化非晶質シリコンなどの物質からなる抵抗接触層１３３が形成されている。抵抗接触層１３３はゲート電極１２２を中心として２部分に分かれている。
【００１９】
抵抗接触層１３３及びゲート絶縁膜１３１上にはデータ配線１４１、１４２が形成されている。データ配線１４１、１４２は比抵抗の低い銀またはアルミニウムなどからなることができ、ゲート電極１２１のように他の物質との接触特性に優れた導電物質を含むことができる。データ配線１４１、１４２は、抵抗接触層１３３の上部に延長されているソース電極１４１、ソース電極１４１と分離されていて、ゲート電極１２１を中心としてソース電極１４１の反対側抵抗接触層１３３の上部に形成されているドレイン電極１４２を含む。
【００２０】
データ配線１４１、１４２及びこれらが覆わない半導体層１３２の上部には、窒化ケイ素、ＰＥＣＶＤ方法によって蒸着されたａ−Ｓｉ：Ｃ：Ｏ膜またはａ−Ｓｉ：Ｏ：Ｆ膜、及びアクリル系有機絶縁膜などからなる保護膜１５１が形成されている。保護膜１５１にはドレイン電極１４２を露出する接触孔１５２が形成されている。
保護膜１５１の上部には画素電極１６１が形成されている。画素電極１６１は、通常、ＩＴＯ（ｉｎｄｉｕｍ  ｔｉｎ  ｏｘｉｄｅ）またはＩＺＯ（ｉｎｄｉｕｍ  ｚｉｎｃ  ｏｘｉｄｅ）などの透明な導電物質からなる。
【００２１】
薄膜トランジスタＴに接続されている各画素電極１６１は、図３に示すように第１基板１００ 上に規則的に配置されている。
第２基板２００を見れば、第２絶縁基板２１０上に共通電極２２０が形成されている。
共通電極２２０は、通常、ＩＴＯまたはＩＺＯなどの透明な導電物質からなっている。共通電極２２０は第２絶縁基板２１０に全面的に形成されており、画素電極１６１と共に陽性または陰性を帯びた荷電粒子３３１、３３２を駆動するための電界を形成する。
【００２２】
ここで、第１絶縁基板１１０と第２絶縁基板２１０のうちの少なくともいずれか一つは透明であり、第１絶縁基板１１０と第２絶縁基板２１０のうちの少なくともいずれか一つはプラスチックからなることができる。プラスチックの種類としては、ポリカーボン（ｐｏｌｙｃａｒｂｏｃ）、ポリイミド（ｐｏｌｙｉｍｉｄｅ）、ポリエーテルサルホン(ＰＥＳ)、ポリアリレート（ＰＡＲ）、ポリエチレンナフタレート（ＰＥＮ）、ポリエチレンテレフタレート（ＰＥＴ）などが可能である。絶縁基板１１０、２１０としてプラスチック基板を用いれば、電気泳動表示装置１を軽くて薄く、また、フレキシブルに製造することができる。
【００２３】
第１基板１００と第２基板２００の間には空間部３１０を仕切るゲル部材３５０が位置し、空間部３１０には流体３２１と荷電粒子３３１、３３２が位置している。
流体３２１は、荷電粒子３３１、３３２の高い移動度のために粘度が低く、化学反応を抑制するために誘電定数も低いことが好ましい。流体３２１は、また、反射輝度の確保のために透明な有機溶媒が好ましい。流体層３２１の例としては、デカハイドロナフタレン、５-エチリデン-２-ノルボルネン、脂肪油、パラピン油などのハイドロカーボン；トルエン、キシレン、フェニルキシリルエタン、ドデシルベンゼン及びアルキルナフタレンなどの芳香族ハイドロカーボン；パーフルオロデカリン、パーフルオロトルエン、パーフルオロキシレン、ジクロロベンゾトリフルオライド、３、４、５-トリクロロベンゾトリフルオライド、クロロペンタフルオル-ベンゼン、ジクロロノナン、ペンタクロロベンゼンなどのハロゲン化溶媒などがある。
【００２４】
流体３２１に分散されている荷電粒子３３１、３３２は、白色サブ粒子３３１と黒色サブ粒子３３２とを含む。白色サブ粒子３３１と黒色サブ粒子３３２とは互いに異なる極性に荷電されているため、互いに反対方向に運動する。白色サブ粒子３３１は酸化チタン（ＴｉＯ2）またはシリカ（ＳｉＯ2）からなることができる。黒色サブ粒子３３２はカーボンブラック（ｃａｒｂｏｎ  ｂｌａｃｋ）で作られるか、またはチタン（ＴｉＯ2）またはシリカ（ＳｉＯ2）に黒色顔料を着色して作られることができる。
【００２５】
荷電粒子３３１、３３２は、画素電極１６１と共通電極２２０との間に形成される電界によって上下運動しながら反射する光の量を調節するようになる。例えば、白色サブ粒子３３１が上部に、黒色サブ粒子３３２が下部に移動すれば、白色を表示するようになる。反対に、白色サブ粒子３３１が下部に、黒色サブ粒子３３２が上部に移動すれば、黒色を表示するようになる。単一の画素電極１６１がグレーを表現することができることは勿論である。
【００２６】
荷電粒子３３１、３３２は固有電荷を表すこともでき、電荷調節剤（ｃｈａｒｇｅ  ｃｏｎｔｒｏｌ  ａｇｅｎｔ）を利用して明示的に荷電されることもでき、溶媒に浮遊しながら電荷を得ることができる。電荷調節剤は、ポリマーであるかまたは非ポリマーであることもでき、イオン性であるかまたは非イオン性であることもでき、ソディウムドデシルベンゼンスルホネート、金属せっけん、ポリブテンスクシンイミド、マレイン酸無水物コーポリマー、ビニルピリジンコーポリマー、ビニルピロリドンコーポリマー、アクリル（メタクリル）酸コーポリマーなどが可能である。
【００２７】
流体層３２１に分散されている荷電粒子３３１、３３２、電荷調節剤などの粒子は、相互間にコロイダル安底性（ｃｏｌｌｏｉｄａｌ  ｓｔａｂｉｌｉｔｙ）を満足させなければならない。これは、粒子の大きさと表面電荷を調節して達成することができる。
ゲル部材３５０は空間部３１０を区画する。ゲル部材３５０は、図３に示すように、ポアー（ｐｏｒｅ）、つまり、空間部３１０が散布されているフィルム状を有している。ゲル部材３５０は透明であるものが好ましい。
【００２８】
ゲルは、コロイド溶液（ゾル）が一定の濃度以上に濃くなって丈夫な網状組職が形成されて固まったものである。ゲル部材としては、無機物、シリカなどが用いられ、寒天、シリカゲルなどがその例である。これらは、コロイド粒子の網状組職の間に溶媒の水などが入って固くなったものであり、再び温度を上げれば、分子運動やその外の原因により組職が破壊されてまた流動性液体となる。網状組職の間に水が入っているゲルをヒドロゲルと言い、ゲルの網状組職の間から溶媒が除去されて空気が入った形状の多孔性ゲルをキセロゲルと言う。硅藻土、酸性白土などがその例である。
【００２９】
また、空間部３１０について説明する。
空間部３１０は、第１基板１００と第２基板２００との間で各基板１００、２００の平面に対して垂直な方向に延長されている。空間部３１０の大きさは、ｎｍ単位の荷電粒子３３１、３３２が自由に上下移動するように荷電粒子３３１、３３２より充分に大きいことが好ましい。このために、空間部３１０の平均直径ｄ１は１０μｍ〜１００μｍであり、荷電粒子３３１、３３２の平均直径の１００倍〜１００００倍であり得る。
【００３０】
空間部３１０は、第１基板１００の画素電極１６１と第２基板２００の共通電極２２０に直接接触している。空間部３１０のうちの一部は一つの画素電極１６１と重畳しているが、一部の空間部３１０は２つ以上の画素電極１６１と重畳している。また、画素電極１６１のうちの一部は２つ以上の空間部３１０と重畳している。同一の空間部３１０内にある荷電粒子３３１、３３２も下部に位置した画素電極１６１が異なれば、互いに異なる運動を行う。空間部３１０と画素電極１６１とが一対一に対応はしないが、荷電粒子３３１、３３２の動きは画素電極１６１別に制御されて所望の画面を形成することができる。
【００３１】
第１基板１００と第２基板２００との間でゲル部材３５０が占める体積は、空間部３１０の体積の２０％〜１００％の間であり得る。ゲル部材３５０の体積が空間部３１０の体積の２０％以下であれば、ゲル部材３５０の強度が弱くなる問題がある。反対に、ゲル部材３５０の体積が空間部３１０の体積の１００％より大きければ、空間部３１０が減少して解像度が下がるようになる。
【００３２】
以上で説明した電気泳動表示装置１は、空間部３１０の仕切りのためにゲル部材３５０を用いる。ゲル部材３５０は、従来の隔壁に比べて柔軟性に優れているため、電気泳動表示装置１の柔軟性を増加させる。このため、電気泳動表示装置１が損傷された場合に流体３２１及び荷電粒子３３１、３３２の遺失を減少させることができる。また、第１絶縁基板及び第２絶縁基板２１０のいずれかがプラスチックからなる場合には、さらに電気泳動表示装置の柔軟性を高めることができる。
【００３３】
また、固体状態のゲル部材３５０が第１基板１００と第２基板２００との間のセルギャップ（ｃｅｌｌ  ｇａｐ）を維持させるので、別途のスペーサー（ｓｐａｃｅｒ）が必要でない。ゲル部材３５０の高さｈは、数μｍ〜数十μｍであり得る。
電気泳動表示装置１の応答速度（ｒｅｓｐｏｎｓｅ  ｔｉｍｅ）は、ゲル部材３５０の厚さと各電極１６１、２２０に印加される電圧を調整して制御することができる。
【００３４】
第１実施形態による電気泳動表示装置の製造方法について、図４を参照して説明する。
先に、画素電極１６１が形成されている第１基板１００を備える（Ｓ４１０）。第１基板１００は、薄膜トランジスタＴとこれに接続されている画素電極１６１とからなっており、これは公知の方法によって製造でき、説明は省略する。
次いで、画素電極１６１上にゲル部材３５０を付着する（Ｓ４２０）。ゲル部材３５０はフィルム状であって、画素電極１６１上にラミネートさせて固定させる。ゲル部材３５０にはポアー、つまり、空間部３１０がランダムに分布しており、空間部３１０はゲル部材３５０の厚さ方向に形成されている。
【００３５】
次に、ゲル部材３５０の空間部３１０に流体３２１と荷電粒子３３１、３３２を注入する（Ｓ４３０）。この段階は、例えば、荷電粒子３３１、３３２が分散されている流体３２１にゲル部材３５０を一部または全部沈澱させて行われることができる。この時、荷電粒子３３１、３３２を含む流体３２１は毛細管現象などによって空間部３１０に注入される。
【００３６】
最後に、ゲル部材３５０上に共通電極２２０が形成された第２基板２００を付着すれば、図２のような電気泳動表示装置１が完成される（Ｓ４３０）。
第１基板１００と第２基板２００を固定するために、別途のシーラントなどを用いることも可能である。
実施形態とは異なって、ゲル部材３５０は、空間部３１０に流体３２１と荷電粒子３３１、３３２のうちの少なくともいずれか一つが注入された状態で画素電極１６１上に付着されることもできる。また、ゲル部材３５０は第２基板２００に先に付着され、次いで第１基板１００と結合されることもできる。
【００３７】
本発明の第２実施形態による電気泳動表示装置について、図５を参照して説明する。第１実施形態と異なる点を中心に説明する。
第１基板１００は画素電極１６１上に形成された第１シーリング／接着層１７１をさらに含み、第２基板２００は、第２絶縁基板２１０、共通電極２２０の他に流体３２１及びゲル部材３５０に接触する第２シーリング／接着層２３０をさらに含む。シーリング／接着層１７１、２３０はゲル部材３５０と接着され、一つの空間部３１０の荷電粒子３３２が他の空間部３１０に移動することを防止する。シーリング／接着層１７１、２３０は高分子系物質であり得る。
【００３８】
製造過程でシーリング／接着層１７１、２３０は、ゲル部材３５０の両面に付着された後、第１基板１００または第２基板２００に付着されることができる。これとは反対に、シーリング／接着層１７１、２３０はそれぞれ第１基板１００と第２基板２００に付着された状態でゲル部材３５０と接触することもできる。
第１実施形態と異なって、荷電粒子３３２は黒色粒子一つだけが存在する。荷電粒子３３２が上昇すれば黒色が表示され、荷電粒子３３２が下降すれば白色が表示される。
【００３９】
第２実施形態で空間部３１０は多様な形態で備えられる。つまり‘Ａ’のように空間部３１０と第２基板２００との間にゲル部材３５０が位置したり、‘Ｂ’のように空間部３１０がゲル部材３５０によって取り囲まれていたりする。
空間部３１０の形状に関わらず荷電粒子３３２の動きは下部に位置した画素電極１６１によって制御されるので、画面の形成には問題がない。
【００４０】
たとえ本発明のいくつかの実施形態が図示され説明されたが、本発明が属する技術分野の通常の知識を有する当業者であれば本発明の原則や精神から逸脱せずに本実施形態を変形できることが分かる。本発明の範囲は添付された請求項とその均等物によって決められなければならない。
【図面の簡単な説明】
【００４１】
【図１】本発明の実施形態による電気泳動表示装置の駆動原理を概略的に示した図面である。
【図２】本発明の第１実施形態による電気泳動表示装置の断面図である。
【図３】本発明の第１実施形態による電気泳動表示装置の分解斜視図である。
【図４】本発明の第１実施形態による電気泳動表示装置の製造方法を説明するための手順図である。
【図５】本発明の第２実施形態による電気泳動表示装置の断面図である。
【符号の説明】
【００４２】
１００  第１基板
１６１  画素電極
２００  第２基板
２２０  共通電極
３１０  空間部
３２１  流体
３３１、３３２  荷電粒子
３５０  ゲル部材
【図１】
2007140533.tif 000003
【図２】
2007140533.tif 000004
【図３】
2007140533.tif 000005
【図４】
2007140533.tif 000006
【図５】
2007140533.tif 000007